(57)【要約】【課題】利用者の自宅の位置情報が未登録であっても、この利用者の自宅の位置情報を目的地として容易に設定することができる「ナビゲーション装置」を提供することである。【解決手段】自宅を目的地として設定する操作がなされたときに（Ｓ１２，Ｓ１３）、予め登録された当該自宅の位置を目的地とした経路設定を行うナビゲーション装置であって、外部通信機器と通信可能な通信手段と（Ｓ１８）、自宅を目的地として設定する操作がなされたときに（Ｓ１２，Ｓ１３）、外部通信機器に当該外部通信機器の利用者の自宅の位置を特定する情報として登録されている位置情報を通信手段を介して外部通信機器から取得する位置情報取得手段（Ｓ２０〜Ｓ２３）と、予め登録された自宅の位置に代えて、位置情報取得手段にて取得された位置情報を設定すべき経路の目的地とする目的地設定制御手段（Ｓ２４）とを備える。【選択図】図２
2011220913.tif 000002
【特許請求の範囲】
【請求項１】
自宅を目的地として設定する操作がなされたときに、予め登録された当該自宅の位置を目的地とした経路設定を行うナビゲーション装置であって、
外部通信機器と通信可能な通信手段と、
自宅を目的地として設定する操作がなされたときに、前記外部通信機器に当該外部通信機器の利用者の自宅の位置を特定する情報として登録されている位置情報を前記通信手段を介して前記外部通信機器から取得する位置情報取得手段と、
前記予め登録された自宅の位置に代えて、前記位置情報取得手段にて取得された位置情報を設定すべき経路の目的地とする目的地設定制御手段とを有するナビゲーション装置。
【請求項２】
前記位置情報手段にて複数の位置情報が取得されたときに、該複数の位置情報を表示部に表示させる位置情報表示制御手段を有し、
前記表示部に表示された複数の位置情報から１つの位置情報の選択操作がなされたときに、前記目的地設定制御手段は、前記予め登録された自宅の位置に代えて、前記選択操作のなされた位置情報を設定すべき経路の目的地とする請求項１記載のナビゲーション装置。
【請求項３】
前記外部通信機器が、無線または有線で前記通信手段と通信可能な携帯電話機、パーソナルコンピュータ、または通信モバイル機器である請求項１または２記載のナビゲーション装置。
【請求項４】
前記外部通信機器が有している自宅の位置情報が、利用者の住所、電話番号、またはＧＰＳ情報である請求項１乃至３のいずれかに記載のナビゲーション装置。
【発明の詳細な説明】
【技術分野】
【０００１】
本発明は、車両に搭載され車両に搭載され目的地までの経路（ルート）案内を行うナビゲーション装置に関する。
【背景技術】
【０００２】
従来、利用者の配車依頼とＧＰＳ受信機による位置情報取得及び送信を携帯電話機で行い、基地局の通信システムが上記情報を複数のタクシーに送信し、複数のタクシーに積載された電話機が上記送信された配車依頼情報を受信し接続されているカーナビゲーションに利用者の位置を表示した上で、タクシー運転手が条件に合えば、依頼に対して呼応し、更に利用者が情報処理手段により複数のタクシーからの呼応に対して１台を選択するように構成されたタクシー配車システムが提案されている（例えば、特許文献１参照）。
【０００３】
このように構成されたタクシー配車システムでは、利用者に対しては自分の現在位置を把握していない場合であっても、タクシーの配車を容易にし、タクシー会社の選択が不要である一方、タクシー運転手にとっては手間がかからず、利用者の要求に対して迅速に対応可能であるため、利用者とタクシー運転手の双方の信頼性を維持することができる。また上記システム利用者が配車要求時に、自宅等の目的地を予め入力または指定することで、タクシー側のカーナビゲーションに目的地またはルートのいずれか一方または双方を表示できる。
【先行技術文献】
【特許文献】
【０００４】
【特許文献１】特開２００４−４６３０９号公報
【発明の概要】
【発明が解決しようとする課題】
【０００５】
しかしながら、上記従来の特許文献１に示されたタクシー配車システムでは、利用者の自宅の位置情報のデータをナビゲーション装置の自宅情報として自動的に登録するものではないため、利用者の自宅の位置情報の検索操作が比較的煩わしかった。
【０００６】
一方、他人の車両やレンタカー等を運転する場合、これらの車両には利用者の自宅の住所が自宅情報として登録されていないナビゲーション装置が搭載されているため、このナビゲーション装置で利用者の自宅の位置情報を検索する場合、自宅の住所を直接入力したり、或いは自宅のアドレス情報の中から選択したりする必要があるため、自宅の位置情報の検索操作が比較的煩わしかった。
【０００７】
本発明は、このような事情に鑑みてなされたもので、利用者の自宅の位置情報が未登録であっても、この利用者の自宅の位置情報を目的地として容易に設定することができるナビゲーション装置を提供するものである。
【課題を解決するための手段】
【０００８】
本発明に係るナビゲーション装置は、自宅を目的地として設定する操作がなされたときに、予め登録された当該自宅の位置を目的地とした経路設定を行うナビゲーション装置であって、外部通信機器と通信可能な通信手段と、自宅を目的地として設定する操作がなされたときに、前記外部通信機器に当該外部通信機器の利用者の自宅の位置を特定する情報として登録されている位置情報を前記通信手段を介して前記外部通信機器から取得する位置情報取得手段と、前記予め登録された自宅の位置に代えて、前記位置情報取得手段にて取得された位置情報を設定すべき経路の目的地とする目的地設定制御手段とを有する構成となる。
【０００９】
このような構成により、利用者が、例えば他人の車両やレンタカー等を運転して利用者の自宅に戻るために、自宅を目的地として設定する操作を行うと、利用者の自宅の位置を特定する情報が登録されている外部通信機器と通信手段が通信し、この外部通信機器に登録されている利用者の自宅の位置情報が取得された後、この取得された位置情報が目的地に設定される。
【００１０】
本発明に係るナビゲーション装置において、前記位置情報手段にて複数の位置情報が取得されたときに、該複数の位置情報を表示部に表示させる位置情報表示制御手段を有し、前記表示部に表示された複数の位置情報から１つの位置情報の選択操作がなされたときに、前記目的地設定制御手段は、前記予め登録された自宅の位置に代えて、前記選択操作のなされた位置情報を設定すべき経路の目的地とすることができる。
【００１１】
このような構成により、利用者が、例えば他人の車両やレンタカー等を運転して利用者の自宅に戻るために、自宅を目的地として設定する操作を行った場合、通信手段が複数の外部通信機器と通信して複数の位置情報を取得すると、これらの位置情報が表示部に表示され、これらの表示された位置情報から１つの位置情報が選択されると、予め登録された自宅の位置に代えて、選択された位置情報が目的地に設定される。
【００１２】
また、本発明に係るナビゲーション装置において、前記外部通信機器が、無線または有線で前記通信手段と通信可能な携帯電話機、パーソナルコンピュータ、または通信モバイルであってもよい。
【００１３】
このような構成より、無線の場合には通信手段と外部通信機器と接続することなく、容易に通信することができ、有線の場合には通信手段と外部通信機器とを接続することにより、比較的容易に通信することができる。
【００１４】
更に、本発明に係るナビゲーション装置において、前記外部通信機器が有している自宅の位置情報が、利用者の住所、電話番号、またはＧＰＳ情報であってもよい。
【００１５】
このような構成により、自宅の位置情報が利用者の住所または電話番号である場合には、比較的正確に通信手段が自宅の位置情報を得ることができ、自宅の情報が利用者のＧＰＳ情報である場合には、正確に通信手段が自宅の位置情報を得ることができる。
【発明の効果】
【００１６】
本発明に係るナビゲーション装置によれば、利用者が、例えば他人の車両やレンタカー等を運転して利用者の自宅に戻るために、自宅を目的地として設定する操作を行うと、利用者の自宅の位置を特定する情報が登録されている外部通信機器と通信手段が通信し、この外部通信機器に登録されている利用者の自宅の位置情報が取得された後、この取得された位置情報が目的地に設定されるので、利用者の自宅の位置情報が未登録であっても、この利用者の自宅の位置情報を目的地として容易に設定することができる。
【図面の簡単な説明】
【００１７】
【図１】本発明の実施の一形態に係るナビゲーション装置の構成を示すブロック図である。
【図２】図１に示したナビゲーション装置において実行される利用者の携帯電話機から自宅の位置情報を登録自宅情報の設定操作画面に表示し目的地として設定する処理を行うフローチャートである。
【図３】図１に示したナビゲーション装置の表示部に目的地の設定方法を選択する画像を表示した図である。
【図４】図１に示したナビゲーション装置の表示部に登録自宅情報を表示してよいか否かを選択する画像を表示した図である。
【図５】図１に示したナビゲーション装置の表示部に外部通信機器から受信した１件の自宅の位置情報を表示した図である。
【図６】図１に示したナビゲーション装置の表示部に外部通信機器から受信した３件の自宅の位置情報を表示した図である。
【発明を実施するための形態】
【００１８】
以下、本発明の実施の形態について図面を用いて説明する。
【００１９】
本発明の実施の一形態に係るナビゲーション装置は、車両に搭載され、図１に示すように構成される。図１において、ナビゲーション装置１０は、コンピュータユニット（ＣＰＵを含む）にて構成される処理ユニット１２を有している。処理ユニット１２は、車両ナビゲーションに必要な位置情報を提供するためのＧＰＳユニット１７及びセンサ類１８（ジャイロセンサ、加速度センサ）、地図情報及び各種情報を記憶する記憶部１４（例えば、ハードディスクユニット）が接続されている。また、処理ユニット１２には、車室内に設けられ、ＬＣＤ等により構成される表示部１３、操作ボタンや表示部１３内に構成されるタッチパネル等の操作部１１、車室内に設けられたスピーカ１６に音声信号を供給する出力回路１５が接続されている。
【００２０】
処理ユニット１２は、ＧＰＳユニット１７及びセンサ類１８からの位置情報と、記憶部１４から読み出した地図情報に基づいて車両ナビゲーションに係る処理を実行する。この車両ナビゲーションに係る処理では、例えば、ＧＰＳユニット１７及びセンサ類１８により得られる車両位置と目的地の位置とに基づいて車両位置から目的地までのルート（経路）が検索及び設定され、表示部１３にナビゲーションに係る地図とともに車両位置マーク及び設定ルートを表示させて、車両のルート案内に係るガイダンスの出力（表示または音声出力）等がなされる。また、処理ユニット１２には通信回路１９が接続されており、処理ユニット１１の制御のもと通信回路１９と乗員の携帯電話機２０との間で、例えば、ブルートゥースによる近距離無線通信ができるようになっている。
【００２１】
上記処理ユニット１２は、図２に示す手順に従って案内ルートの目的地を設定するための処理を実行する。利用者が他人の車両やレンタカー等を運転して旅行し、最終日に旅先から自宅に帰るとき、ナビゲーション装置１０の登録自宅情報を検索しても、利用者の自宅の位置情報は登録されていない。このような状況において、利用者が、操作部１１にて目的地設定の操作を行うと、処理ユニット１１は、例えば、図３に示すような目的地設定画面を表示部１３に表示させる（Ｓ１１）。この目的地設定画面には、「住所検索」、「郵便番号検索」、「電話番号検索」、「メモリ地点検索」及び「自宅に帰る」という選択項目が表示されている。利用者が図３に示す目的地設定画面において「自宅に帰る」という項目を選択する操作を行うと（Ｓ１２でＹＥＳ、Ｓ１３でＹＥＳ）、処理ユニット１１は、自宅の位置を表す自宅情報が既に登録されているか否かを判定する（Ｓ１５）。なお、目的地設定画面において、自宅を目的地設定するための操作である「自宅に帰る」以外の操作（具体的には、「住所検索」、「郵便番号検索」、「電話番号検索」、「メモリ地点検索」のいずれか）がなされると（Ｓ１３でＮＯ）、その操作に従った目的地設定の処理が行われる（Ｓ１４）。
【００２２】
上述したように自宅を目的地に設定するための操作がなされると（Ｓ１３でＹＥＳ）、処理ユニット１１は、自宅の位置を表す自宅情報が既に登録されているか否かを判定する（Ｓ１５）。そして、自宅情報が既に登録されている場合（Ｓ１５でＹＥＳ）、処理ユニット１１は、図４に示すような確認画面を表示部１３に表示させ（Ｓ１６）、登録された自宅情報に基づいて自宅を目的地設定するか否かを判定する（Ｓ１７）。ここで、利用者が、図４に示す確認画面において、「ＹＥＳ」のボタンを操作すると、処理ユニット１１は、登録された自宅を目的地に設定するものであると判断し（Ｓ１７でＹＥＳ）、その登録された自宅情報に基づいて目的地設定を行う（Ｓ２４）。
【００２３】
一方、利用者が、図４に示す確認画面において、「ＮＯ」のボタンを操作すると、処理ユニット１１は、登録された自宅を目的地するものではないと判断し（Ｓ１７でＮＯ）、通信回路１９が車室内の乗員が所持する携帯電話機２０との近距離無線通信が可能であるか否かを判定する（Ｓ１８）。通信回路１９と携帯電話機２０との近距離無線通信が可能である場合（Ｓ１８でＹＥＳ）、処理ユニット１１は、通信回路１９を介して携帯電話機２０との間で情報交換を行い、携帯電話機２０に記録されたプロファイル情報を検索する（Ｓ２０）。通常、携帯電話機２０にはその利用者の住所等の個人情報をプロファイル情報として登録することができる。処理ユニット１１は、携帯電話機２０からプロファイル情報を取得し、そのプロファイル情報に利用者のプロファイル情報が含まれているか否かを判定する（Ｓ２１）。前記プロファイル情報に利用者の住所が含まれている場合（Ｓ２１でＹES）、処理ユニット１１は、その自宅情報としての住所情報を、例えば、図５に示すように、表示部１３に表示させる。
【００２４】
利用者が、図５に示すように表示部１３に表示された住所情報（福島県Ｉ市×××町１−２−３）の選択操作を行うと、処理ユニット１１は、その選択された住所情報を自宅情報として取得する（Ｓ２３）。そして、処理ユニット１１は、その取得した自宅情報に基づいて目的地の設定を行う（Ｓ２４）。このようにして目的地が設定されると、乗員の操作に従って、処理ユニット１１は、現在位置から前記目的地までの経路設定を行い、車両の発進とともに、設定された経路に基づいて車両の走行案内処理を行う。
【００２５】
なお、車両の乗員が携帯電話機２０を所持していない、あるいは、携帯電話機２０が近距離通信の機能を備えていない等、通信回路１９が携帯電話機２０との近距離無線通信を行うことができない場合（Ｓ１８でＮＯ）、または、携帯電話機２０から取得されたプロファイル情報に利用者の住所情報（自宅情報）が含まれていない場合（Ｓ２１でＮＯ）、処理ユニット１１は、自宅の位置情報を取得することができなかった旨のメッセージを表示部１３に表示させ、再度、目的地設定画面（図３参照）を表示部１３に表示させる。そして、処理ユニット１１は、利用者の操作に従った処理を実行する（Ｓ１２、Ｓ１３、Ｓ１４等）。
【００２６】
ところで、車両に複数の乗員がいる場合、通信回路１９は、その複数の乗員が所持する複数の携帯電話機と近距離無線通信する可能性がある。この場合、処理ユニット１１は、通信回路１９を介して複数の携帯電話機との情報交換を行って、複数の携帯電話機のそれぞれからプロファイル情報を取得し得る（Ｓ１８、Ｓ２０）。この場合、例えば、図６に示すように、表示部１３には、取得した複数のプロファイル情報から得られる複数の住所情報が表示される（Ｓ２２）。そして、利用者が、図６に示すように表示部１３に表示された複数の住所情報（福島県Ｉ市×××町１−２−３、福島県Ｋ市△△△町４−５−６、福島県Ａ市□□□町７−８−９）のうちのいずれかの住所情報の選択操作を行うと、処理ユニット１１は、その選択された住所情報を自宅情報として取得し（Ｓ２３）、その取得した自宅情報に基づいて目的地の設定を行う（Ｓ２４）。
【００２７】
前述したようなナビゲーション装置１０によれば、他人の車両やレンタカー等を運転して自宅に戻る場合に、自宅を目的地に設定する操作を行ったときに、登録された自宅の住所に代えて、乗員の携帯電話機２０と通信を行って得られたプロファイル情報に含まれる自宅の住所を目的地として設定することができるので、利用者の自宅の位置情報が未登録であっても、自宅を目的地に設定する操作を行えば、この利用者の自宅の位置情報を目的地として容易に設定することができるようになる。
【００２８】
なお、前述したナビゲーション装置１０では、通信回路１９が携帯電話機２０と近距離無線通信を行うものであったが、通信回路１９が通信ケーブルにて接続された携帯電話機２０と通信を行うように構成することもできる。また、利用者の自宅の住所が登録され得るものであるならば、外部通信機器として、携帯電話機２０だけでなく、パーソナルコンピュータや、他の通信モバイル機器を利用することもできる。
【産業上の利用可能性】
【００２９】
以上、説明したように、本発明に係るナビゲーション装置は、利用者の自宅の位置情報が未登録であっても、この利用者の自宅の位置情報を目的地として容易に設定することができ、目的地までの経路（ルート）案内を行う車載のナビゲーション装置として有用である。
【符号の説明】
【００３０】
１０  ナビゲーション装置
１１  操作部
１２  処理有ニット
１３  表示部
１４  記憶部
１５  出力回路
１６  スピーカー
１７  ＧＰＳユニット
１８  センサ類
１９  通信回路（通信手段）
２０  携帯電話機（外部通信機器）
【図１】
2011220913.tif 000003
【図２】
2011220913.tif 000004
【図３】
2011220913.tif 000005
【図４】
2011220913.tif 000006
【図５】
2011220913.tif 000007
【図６】
2011220913.tif 000008